(57)【要約】【課題】動画の撮影中にシャッタチャンスを逃すことなく、最適なタイミングの静止画を撮像することができ、しかも、動画の記録を中断することなく連続して行うことが出来る静止画／動画兼用の撮像装置を提供する。  【解決手段】静止画或いは動画を生成する画像生成部３と、静止画を出力させるか、動画を出力させるかの切り換えを行う切り換え部（ＳＷ１）と、切り換え部から出力された静止画を所定周期で循環する循環型記憶部６に記憶させる第１記憶制御部１４と、切り換え部から出力された静止画から動画のフレーム数と同一となるように補間を行って補間動画を生成する動画補間部８と、切り換え部で切り換えられて出力された動画及び補間動画を記憶部１０に記憶させる第２記憶制御部１５と、切り換え部から静止画或いは動画を出力させるか、動画補間部８に補間動画を生成させるモード切り換え部１１と、を備える。【選択図】      図１
2007174284.tif 000002
【特許請求の範囲】
【請求項１】
被写体を撮像素子で撮像して、静止画或いは動画として記録する撮像装置において、
前記被写体を静止画撮影モード或いは動画撮影モードで撮影するかの切り換えを行うモード切り換え部と、
前記モード切り換え部で前記静止画撮影モードに切り換えられた場合には、前記被写体を静止画同期信号にタイミングを合わせて撮影を行わせ、前記動画撮影モードに切り換えられた場合には、前記被写体を動画同期信号にタイミングを合わせて撮影を行わせる制御部と、
前記動画同期信号にタイミングを合わせて撮像された動画像を記憶する記憶部と、
前記静止画同期信号にタイミングを合わせて撮影された静止画像を記憶する静止画記憶部と、
前記静止画同期信号にタイミングを合わせて撮影された前記静止画像と前記動画像とを切り換えて出力する際に、前記動画像を再生して出力する動画フレーム周期に同期して、前記静止画記憶部から前記動画像の画素数で前記静止画像を順次読み出させる第１記憶制御部と、
前記第１記憶制御部で順次読み出された前記静止画像を前記動画像に追加して前記記憶部に記憶させる第２記憶制御部と、
を備え、
前記記憶部に記憶されている前記第１記憶制御部で順次読み出された前記静止画像又は前記動画像を出力させることを特徴とする撮像装置。
【請求項２】
被写体を撮像素子で撮像して、静止画或いは動画として記録する撮像方法において、
前記被写体を静止画撮影モード或いは動画撮影モードで撮影するかの切り換えを行い、
前記静止画撮影モードに切り換えられた場合には、前記被写体を静止画同期信号にタイミングを合わせて撮影を行わせ、前記動画撮影モードに切り換えられた場合には、前記被写体を動画同期信号にタイミングを合わせて撮影を行わせ、
前記動画同期信号にタイミングを合わせて撮像された動画像を記憶部に記憶させ、
前記静止画同期信号にタイミングを合わせて撮影された静止画記憶部に静止画像を記憶させ、
前記静止画同期信号にタイミングを合わせて撮影された前記静止画像と前記動画像とを切り換えて出力する際に、前記動画像を再生して出力する動画フレーム周期に同期して、前記静止画記憶部から前記動画像の画素数で前記静止画像を順次読み出させ、
前記順次読み出された前記静止画像を前記動画像に追加して前記記憶部に記憶させ、
前記記憶部に記憶されている前記順次読み出された前記静止画像又は前記動画像を出力させることを特徴とする撮像方法。
【発明の詳細な説明】
【技術分野】
【０００１】
本発明は、ビデオカメラの動画の撮影・記録とデジタルカメラの静止画の撮影・記録の両方を１つの固体撮像素子を用いて行う撮像装置に関するものである。
【背景技術】
【０００２】
従来、静止画の撮影・記録を行う所謂電子式デジタルスチルカメラ（以下、デジタルカメラ）では、シャッタボタンの押下のタイミングを検出して、固体撮像素子面に所定の時間露光された被写体を光電変換してアナログ静止画信号として取り出し、これをＡ／Ｄによりデジタル静止画信号に変換し更に所定の信号処理を施した後に、例えば半導体メモリや磁気ディスクなどに静止画信号として記憶・保存していた。
記憶・保存された静止画信号は、別途画像データとして読み出され、モニタやプリンタを介して表示されたり印刷されたりする。
【０００３】
特許文献１に、動画と静止画の撮影・記録を行うデジタルカメラとビデオカメラを兼用した撮像装置が記載されており、それぞれのカメラで被写体の撮像を行う際に生じる、撮像のタイミングのずれや、操作の不便さを改良していた。
図４は、特許文献１に記載されている撮像装置の概要を示す図である。
【０００４】
図４に示すように、動画と静止画の撮影・記録を行うデジタルカメラとビデオカメラを
兼用した撮像装置１００は、レンズ１０１と、撮像部１０２と、Ａ／Ｄ１０３と、静止画処理部１０４と、画像メモリ１０５と、動画処理部１０６と、磁気テープ１０７と、ＳＷ制御部１０８と、静止画／動画切り替えＳＷ１０９と、録画ボタン１１０と、シャッタボタン１１１と、から構成されていた。
【０００５】
レンズ１０１は、被写体の光像を撮像部１０２に結像させる。
撮像部１０２は、図示していない固体撮像素子と、静止画駆動回路と動画の駆動回路等と、からなり、レンズ１０１により固体撮像素子面上に結像された被写体の光像を、ＳＷ制御部１０８から供給される静止画／動画切り替え信号により静止画或いは動画の駆動回路のいずれかを選択して、静止画信号あるいは動画信号として光電変換する。
【０００６】
Ａ／Ｄ１０３は、撮像部１０２から供給されるアナログの静止画信号あるいは動画信号を、デジタルの静止画信号あるいは動画信号に変換する。
静止画処理部１０４は、ＳＷ制御部１０８から供給される静止画／動画切り替え信号に基づいて選択されたＳＷ１の端子ａと端子ｂとの接続により、選択された静止画信号のガンマ、色再現性、画像鮮明性等の画像処理を行い、静止画信号の画質を向上させる。
画像メモリ１０５は、静止画処理部１０４で画像処理された静止画信号を、ＳＷ制御部１０８から送られてきたシャッタ信号によるシャッタタイミング毎に、一枚の画像を記憶する。
【０００７】
動画処理部１０６は、ＳＷ制御部１０８から供給される静止画／動画切り替え信号に基づいて選択されたＳＷ１の端子ａと端子ｃとの接続により選択された動画信号のガンマ、色再現性、画像鮮明性等の画像処理を行い、動画信号の画質を向上させる。
磁気テープ１０７は、動画処理部１０６で画像処理された動画信号を、ＳＷ制御部１０８から送られてきた録画信号がＯＮの期間、連続して記憶する。
【０００８】
ＳＷ制御部１０８は、、静止画／動画切り替えＳＷ１０９と録画ボタン１１０とシャッタボタン１１１とからそれぞれの操作状態を示す操作信号を入力して静止画／動画切り替え信号、シャッタ信号、録画信号を生成する。
静止画／動画切り替えＳＷ１０９は、押しボタン式の切り替えＳＷからなり、静止画と動画の切り替え操作を行う。
【０００９】
録画ボタン１１０は、ロック式の押しボタンからなり、静止画／動画切り替えＳＷ１０９が動画の操作状態に設定されているときに、ロック式の押しボタンを押した状態に保つと、ＳＷ制御部１０８から録画信号がＯＮ状態となって磁気テープ１０７に動画信号を記録する。ロック式の押しボタンは押すことをやめてもその状態を保ち、再度押すと元に戻る。
【００１０】
シャッタボタン１１１は、ばね式の押しボタンからなり、静止画／動画切り替えＳＷ１０９が静止画の操作状態に設定されているときに、ばね式の押しボタンを押した瞬間、ＳＷ制御部１０８からシャッタ信号が一瞬ＯＮ状態となって画像メモリ１０５静止画信号を一枚の画像分記憶する。ばね式の押しボタンは押すことをやめるとすぐに元に戻る。
【００１１】
次に、従来の撮像装置の動作について説明する。
まず、撮像装置１００の電源をＯＮにして、静止画／動画切り替えＳＷ１０９を静止画か動画のどちらかの操作状態に設定する。
【００１２】
撮像装置１００が、静止画／動画切り替えＳＷ１０９により静止画の操作状態に設定された場合、静止画／動画切り替えＳＷ１０９から入力した静止画／動画切り替え信号により、撮像部１００は静止画の駆動回路が動作するよう切り替えられ、ＳＷ１も端子ａと端子ｂが接続される。
そして、シャッタボタン１１１を押すとＳＷ制御部１０８でシャッタ信号を生成し、このシャッタ信号により撮像部１００の静止画の駆動回路を動作させて被写体の画像を撮像素子で光電変換した静止画信号を、Ａ／Ｄ１０３でＡ／Ｄ変換し、ＳＷ１経由で静止画処理部１０４により画像処理をして画像メモリ１０５にシャッタ信号のタイミングで１枚の画像分記憶する。
【００１３】
撮像装置１００が、静止画／動画切り替えＳＷ１０９により動画の操作状態に設定された場合、静止画／動画切り替えＳＷ１０９から入力した静止画／動画切り替え信号により、撮像部１００は動画の駆動回路が動作するよう切り替えられ、ＳＷ１も端子ａと端子ｃが接続される。
そして、録画ボタン１１０を押してロックさせるとＳＷ制御部１０８で録画信号を生成し、この録画信号により撮像部１００の動画の駆動回路を動作させて被写体の画像を撮像素子で光電変換した動画信号を、Ａ／Ｄ１０３でＡ／Ｄ変換し、ＳＷ１経由で動画処理部１０６により画像処理をして、録画信号により録画状態となっている磁気テープ１０７に画像処理された動画信号を記録する。
次に,録画ボタン１１０のロックが解除されるまで、画像処理された動画信号を連続して磁気テープに記録する。
【００１４】
このようにして、従来の静止画・動画兼用撮像装置においては、予め使用者が静止画／動画切り替えスイッチによって、静止画を撮像するか動画を撮像するか、いずれかのモードを選択し、この選択されたモードによって被写体を捕らえ、静止画信号あるいは動画信号をそれぞれ記録・保存していた。
【特許文献１】特開平９−８３８７３号公報
【発明の開示】
【発明が解決しようとする課題】
【００１５】
しかし、この従来の静止画・動画兼用撮像装置では、例えば、動画を撮影中に静止画を撮像したい状態となった場合には、動画の記録を停止して動画撮像の途中で静止画のモードに切り替える必要があった。
この切り替えを行うために、録画ボタンを解除して磁気テープの録画を中止してから、静止画／動画切り換えＳＷを静止画にする必要があり、このため時間がかかってしまい、静止画で欲しいシャッタチャンスを逃してしまうという問題点があった。
また、動画の撮像を中断して静止画を撮像すると、動画の記録は停止されるから、動画の記録に連続性が無くなってしまうという問題点があった。
【００１６】
そこで、本発明は、動画の撮影中にシャッタチャンスを逃すことなく、最適なタイミングの静止画を撮像することができ、しかも、動画の記録を中断することなく連続して行うことが出来る静止画／動画兼用の撮像装置を提供することを目的とする。
【課題を解決するための手段】
【００１７】
本願発明における第１の発明は、被写体を撮像素子で撮像して、静止画或いは動画として記録する撮像装置において、前記被写体を静止画撮影モード或いは動画撮影モードで撮影するかの切り換えを行うモード切り換え部と、前記モード切り換え部で前記静止画撮影モードに切り換えられた場合には、前記被写体を静止画同期信号にタイミングを合わせて撮影を行わせ、前記動画撮影モードに切り換えられた場合には、前記被写体を動画同期信号にタイミングを合わせて撮影を行わせる制御部と、前記動画同期信号にタイミングを合わせて撮像された動画像を記憶する記憶部と、前記静止画同期信号にタイミングを合わせて撮影された静止画像を記憶する静止画記憶部と、前記静止画同期信号にタイミングを合わせて撮影された前記静止画像と前記動画像とを切り換えて出力する際に、前記動画像を再生して出力する動画フレーム周期に同期して、前記静止画記憶部から前記動画像の画素数で前記静止画像を順次読み出させる第１記憶制御部と、前記第１記憶制御部で順次読み出された前記静止画像を前記動画像に追加して前記記憶部に記憶させる第２記憶制御部と、を備え、前記記憶部に記憶されている前記第１記憶制御部で順次読み出された前記静止画像又は前記動画像を出力させることを特徴とする撮像装置を提供する。
第２の発明は、被写体を撮像素子で撮像して、静止画或いは動画として記録する撮像方法において、前記被写体を静止画撮影モード或いは動画撮影モードで撮影するかの切り換えを行い、前記静止画撮影モードに切り換えられた場合には、前記被写体を静止画同期信号にタイミングを合わせて撮影を行わせ、前記動画撮影モードに切り換えられた場合には、前記被写体を動画同期信号にタイミングを合わせて撮影を行わせ、前記動画同期信号にタイミングを合わせて撮像された動画像を記憶部に記憶させ、前記静止画同期信号にタイミングを合わせて撮影された静止画記憶部に静止画像を記憶させ、前記静止画同期信号にタイミングを合わせて撮影された前記静止画像と前記動画像とを切り換えて出力する際に、前記動画像を再生して出力する動画フレーム周期に同期して、前記静止画記憶部から前記動画像の画素数で前記静止画像を順次読み出させ、前記順次読み出された前記静止画像を前記動画像に追加して前記記憶部に記憶させ、前記記憶部に記憶されている前記順次読み出された前記静止画像又は前記動画像を出力させることを特徴とする撮像方法を提供する。
【発明の効果】
【００１８】
本発明によれば、静止画同期信号にタイミングを合わせて撮影された静止画像と動画像とを切り換えて出力する際に、動画像を再生して出力する動画フレーム周期に同期して、静止画記憶部から動画像の画素数で前記静止画像を順次読み出させ、順次読み出された静止画像を前記動画像に追加して記憶部に記憶させ、前記記憶部に記憶されている前記順次読み出された静止画像又は動画像を出力させて表示するので、動画の撮影中にシャッタチャンスを逃すことなく、最適なタイミングの静止画を撮像することができ、しかも、動画の記録を中断することなく連続して行うことが出来る。
【発明を実施するための最良の形態】
【００１９】
本発明の実施形態に係る撮像装置及び撮像方法の実施例について図１〜図３を用いて説明する。
図１は、本発明の実施形態における撮像装置の構成を示す図である。
図２は、本発明の実施形態における撮像装置の動作を説明するための図であり、（Ａ）は動画（３０フレーム／秒）の連続したフレーム画像を示す図であり、（Ｂ）は静止画の間欠画像（１０フレーム／秒）を示す図であり、（Ｃ）は（Ｂ）に示す静止画から作成した補間動画を示す図である。
図３は、静止画のシャッタのタイミングを示す図である。
【００２０】
図１に示すように、本発明の実施形態における撮像装置１は、レンズ２と、撮像部３（撮
像素子３ａ、画像生成部３ｂ）と、Ａ／Ｄ４と、静止画処理部５と、循環型記憶部６と、半導体メモリ７と、動画補間部８と、動画処理部９と、磁気テープ１０（記憶部）と、モード切り替え部１１と、押しボタン１２と、録画ボタン１３と、第１記録制御部１４と、第２記録制御部１５と、表示部１６と、ＳＷ１（切り替え部）と、から構成されている。
【００２１】
レンズ２は、被写体の光像を撮像部３の固体撮像素子面に結像させる。
撮像部３は、撮像素子３ａと、画像生成部３ｂ等と、からなり、撮像素子３ａ面上に結像された被写体の光像を、モード切り換え部１１から供給される静止画／動画切り替え信号により画像生成部３ｂに内蔵する静止画／動画の駆動回路のいずれかを選択して、静止画信号あるいは動画信号として光電変換する。
【００２２】
Ａ／Ｄ４は、撮像部３から供給されるアナログの静止画信号あるいは動画信号を、デジタルの静止画信号あるいは動画信号に変換する。
静止画処理部５は、ＳＷ１の端子ａと端子ｂとの接続により選択されて送られてきた静止画信号のガンマ、色再現性、画像鮮明性等の画像処理を行い、静止画信号の画質を向上させる。
循環型記憶装置６は、画像処理された静止画信号を連続して記憶し、記憶容量を超過すると最初に記憶された静止画信号を消去して新たな静止画信号を順次書き換えて記憶する。
この循環型記憶装置６は、複数の静止画を循環して記憶する半導体メモリ或いはハードディスクメモリ等からなり、シャッタタイミングと実際に記憶される被写体の静止画との時間差を解消するためシャッタ前及びシャッタ後の被写体の静止画を、略１秒前の分から略１秒後の分まで常時記憶する容量を有する。
【００２３】
半導体メモリ７は、モード切り換え部１１から第１記録制御部１４経由で送られてきたシャッタ信号のシャッタタイミング毎に、循環型記憶装置６に記憶されている静止画信号を１枚の画像分ずつ、記憶する。
この半導体メモリ７は着脱可能な磁気ディスク，光ディスク，ハードディスク等の静止画用メモリとしてもよい。
動画補間部８は、１画面分の静止画信号の画素数を１画面分の動画信号の画素数に変換して補間動画信号を生成する。
【００２４】
動画処理部９は、ＳＷ１の端子ａと端子ｃとの接続により選択されて送られてきた動画信号、もしくは、ＳＷ１の端子ａと端子ｂとの接続により選択された静止画信号を変換した補間動画信号、のガンマ、色再現性、画像鮮明性等の画像処理を行い、動画信号の画質を向上させる。
磁気テープ１０は、動画処理部９で画像処理された動画信号もしくは静止画信号を変換した補間動画信号を、モード切り換え部１１から第２記憶制御部経由で送られてきた録画信号がＯＮの期間、連続して記憶する。
この磁気テープ１０は、着脱可能な磁気テープ或いは着脱可能な磁気ディスク，光ディスク，ハードディスク等としてもよい。
【００２５】
モード切り換え部１１は、押しボタン１２と録画ボタン１３とからそれぞれの操作状態を示す操作信号を入力して静止画／動画切り替え信号、シャッタ信号、録画信号を生成する。
静止画／動画切り替えＳＷ１は、切り替えＳＷからなり、静止画と動画の切り替え操作を行う。
【００２６】
押しボタン１２は、３段階の押しボタンからなり、図１（Ｂ）の（１）に示すように押しボタンを押さない場合の位置Ｐ０（１，２，３）は動画の選択状態であり、図１（Ｂ）の（２）に示すように押しボタンを押してロックさせた場合の位置Ｐ１（２，３）は静止画の選択状態であり、ロックさせた押しボタンをさらに軽く押して位置Ｐ２（３）としてから離すとばね式に跳ね返る静止画のシャッタボタンとなる。押しボタンをロックさせた状態から強く押すと、最初の押しボタンを押さない状態の位置Ｐ０（１，２，３）に戻る。
【００２７】
録画ボタン１３は、ロック式の押しボタンからなり、静止画と動画の記録(録画)時に、このロック式の押しボタンを押してＯＮ状態にしてロックした状態に保ち、静止画と動画の記録を行わないときは、押しボタンをもう一度押すことによりロックを解除してＯＦＦ状態にする。
【００２８】
第１記憶制御部１４は、モード切り換え部１１で生成されたシャッタ信号を用いて、シャッタ信号のタイミングを前後に調整して循環型記憶部６に記憶された静止画信号の読み出し駆動パルス信号を生成する。
さらに、読み出し駆動パルス信号のタイミングで読み出された静止画信号を、半導体メモリ７に記憶するための書き込み駆動パルス信号を生成する。
第２記憶制御部１５は、モード切り換え部１１で生成された録画信号を用いて、磁気テープ１０の駆動パルス信号を生成する。
表示部１６は、磁気テープ１０で記憶された動画信号もしくは静止画信号を再生してディスプレイに表示する。
【００２９】
次に、本発明の実施形態に係る撮像装置１の動作について説明する。
まず、撮像装置１の電源をＯＮにする。
そして、図示していないディスプレイ等に被写体の画像を表示して、レンズ２の焦点合わせやズーミング等により録画しようとする被写体の光像を撮像部３の撮像素子３ａ面に結像させる。
【００３０】
（動画選択）
押しボタン１２をＰ０の位置のままにしておくと、動画を選択した状態になり，撮像装置１では、撮像素子３ａ面上に結像された被写体の光像を、モード切り換え部１１で生成された静止画／動画切り替え信号を用いて画像生成部３ｂの動画の駆動回路を選択し、動画信号として光電変換する。
【００３１】
次にＡ／Ｄ４により、撮像部３から供給されるアナログの動画信号をデジタルの動画信号に変換する。
そして、ＳＷ１は端子ａと端子ｃとが接続されて、Ａ／Ｄ４でデジタルに変換された動画信号を動画処理部９へ送る。
動画処理部９では、デジタルに変換された動画信号をガンマ、色再現性、画像鮮明性等の画像処理を行い、動画信号の画質を向上させるとともに必要に応じてＭＰＥＧ等の動画圧縮を行う。
次に、磁気テープ１０では、動画処理部９で画像処理された動画信号を、モード切り換え部１１から第２記憶制御部経由で送られてきた録画信号（駆動パルス信号）がＯＮの期間、図２（Ａ）に示すように、例えば、画像２１，画像２２，．．．，画像２８を、３０フレーム／秒の動画２０として連続して記録する。
そしてこの磁気テープ１０に記録された動画信号を再生してディスプレイに表示する。
【００３２】
（静止画選択）
動画を磁気テープ１０に記録している最中に押しボタン１２を押してＰ１の位置にロックすると静止画を選択した状態になる。
そして、撮像素子３ａ面上に結像された被写体の光像を、モード切り換え部１１で生成された静止画／動画切り替え信号を用いて画像生成部３ｂの静止画の駆動回路を選択して、静止画信号として光電変換する。
【００３３】
次にＡ／Ｄ４により、撮像部３から供給されるアナログの静止画信号をデジタルの静止画信号に変換する。そして、ＳＷ１は端子ａと端子ｂとが接続されて、Ａ／Ｄ４でデジタルに変換された静止画信号を静止画処理部５へ送る。
静止画処理部５では、デジタルに変換された静止画信号をガンマ、色再現性、画像鮮明性等の画像処理を行い、静止画信号の画質を向上させるとともに必要に応じてＪＰＥＧ等の静止画圧縮を行う。
【００３４】
次に、循環型記憶部６では、静止画処理部５で画像処理された静止画信号を、図２（Ｂ）に示すように、例えば画像３１，画像３２，画像３３を１０フレーム／秒の静止画信号３０として循環型記憶部６に連続して記憶する。
循環型記憶部６には、例えば、略２秒間分の静止画を記憶するために、略２０枚の静止画の記憶容量を持つ半導体メモリ或いはハードディスク記憶装置が設置される。
【００３５】
この循環型記憶部６には、順次静止画信号を記憶し、記憶容量を超過すると最初に記憶された静止画信号を消去して新たな静止画信号を順次書き換えて記憶する。
そして、押しボタン１２が押されてＰ３の位置になった時に、モード切り換え部１１からシャッタ信号が生成されて第１記録制御部１４に送られ、第１記録制御部１４ではシャッタ信号のタイミングで読み出し駆動パルス信号と書き込み駆動パルス信号が生成され、そして循環型記憶部６には読み出し駆動パルス信号が、半導体メモリ７には書き込み駆動パルス信号が供給される。
【００３６】
図３に示すように，押しボタン１２が押されてＰ３の位置になった時にモード切り換え部１１からシャッタ信号が生成された瞬間のタイミングをシャッタＯＮとすると、シャッタ前には画像３１、画像３２、画像３３が既に循環型記憶部６に記憶されており、シャッタ後には画像３４、画像３５、画像３６が順次記憶される。
【００３７】
この循環型記憶部６に記憶された、シャッタ前或いはシャッタ後の所定の画像を駆動パルス信号のタイミングで循環型記憶部６から読み出し、次に書き込み駆動パルス信号のタイミングで半導体メモリ７に書き込む。
駆動タイミングパルスのタイミングは、例えば、シャッタボタンを押したときから略０.１秒〜０．５秒前に記憶された静止画信号を読み出すようなタイミングに予め設定しておけば、撮影者がシャッタボタンを押したときの感覚と一致する。
【００３８】
また、循環型記憶部６の書き込みを一時停止して、循環型記憶部６に記憶されたシャッタ前或いはシャッタ後に記憶された画像を一枚ずつ、図示していないディスプレイ等に表示して、所定の画像を選択し半導体メモリ７に記憶しても良い。
このようにすれば、例えば、被写体の顔画像が目をつぶってしまった状態を避けて、目を開けている被写体の顔画像の状態を選択することが出来る。
【００３９】
以上説明してきたように、押しボタン１２をＰ０の位置からＰ１の位置にロックし、このロックされた状態で軽く押しボタンを押してシャッタボタンとして機能させれば，このシャッタボタンを押すたびに一枚ずつ静止画を記憶することが出来る。
【００４０】
（動き補間動作）
図２（Ｂ）に示すように、動画を磁気テープ１０に記録している最中に押しボタン１２を押してＰ１の位置にロックすると、例えば画像３１，画像３２，画像３３の１０フレーム／秒の静止画３０が順次静止画処理部５へ送られ画像処理されて動画補間部８に供給される。
【００４１】
動画補間部８では、例えば画像３１を図２（Ａ）に示す画像２１と同じ画素数に変換して図２（Ｃ）に示す画像４１とする。この画像４１を３０フレーム／秒の補間された動画とするためには、１０フレーム×３枚の画像４１とする。即ち画像４２と画像４３とを画像４１と同じとすれば、３０フレーム／秒の動画４０として扱うことが出来る。
この補間された動画４０を動画処理部へ送り、動画用の画像処理を行い、磁気テープ１０に記録する。
そしてこの磁気テープ１０に記録された動画４０を動画信号として再生してディスプレイに表示する。
【００４２】
このようにして，静止画３０を動き捕間された動画４０として記録することが出来る。
また、動き補間動作を行っている最中に押しボタン１２のロックされた状態を解除してＰ０の位置に戻せば、直ちに補間されていない動画に戻すことが出来る。
【００４３】
次に，本発明の実施形態に係る静止画，動画の画素数について説明する。
撮像部３の固体撮像素子（ＣＭＯＳ或いはＣＣＤ）は静止画用にハイビジョンの４倍の画素数（横３８４０画素×縦２１６０画素）を有し、選択された静止画駆動回路により３〜１０フレーム／秒で固体撮像素子から高解像度の静止画信号として読み出される。
【００４４】
一方、動画用に選択された動画駆動回路により、静止画用のハイビジョンの４倍の画素数からハイビジョンと同等の画素数（横１９２０画素×縦１０８０画素）に変換されて、３０フレーム／秒或いは６０フレーム／秒で固体撮像素子から動画信号が読み出される。
このハイビジョンの４倍の画素数からハイビジョンと同等の画素数への変換は縦，横の画素をそれぞれ１つ置きに読み出しても良いし，縦，横の画素をそれぞれ２個ずつ加算しても良い。
このように画素数を少なくすることにより、撮像部３の固体撮像素子からフレームレートを高速にした被写体光像の画像信号を読み出して動画信号とする。
【００４５】
また,動画補間部８では、静止画処理部５からハイビジョンの４倍の画素数の静止画信号を入力し、これをハイビジョンと同等の画素数へ変換する。
ハイビジョンと同等の画素数への変換は縦，横の画素をそれぞれ１つ置きとしても良いし，縦，横の画素をそれぞれ２個ずつ加算しても良い。
このようにハイビジョンと同等の画素数に変換された３〜１０フレーム／秒の静止画信号を、３０フレーム／秒或いは６０フレーム／秒の動画信号と同じフレームレートになるようこの変換された静止画信号を繰り返し用いることにより、連続性を持たせて動画信号と同様に扱う。
この時,静止画として記憶した時間軸が前後する静止画信号に含まれる画像の移動成分を抽出して静止画信号にそれぞれ加算演算して動画補間信号としても良い。
【００４６】
従って、静止画は高解像度の画素数の多い画像として，動画は標準の解像度で画素数の少ない連続画像として扱うことが出来る。
また、静止画はさらに静止画の解像度をハイビジョンの４倍以上の画素数としても良いのはもちろんである。
逆に、静止画の解像度をＮＴＳＣ標準方式の略４倍の画素数を持つハイビジョン相当としても良く，その場合は、動画はＮＴＳＣ標準方式となる。
【００４７】
このようにして、押しボタン１２をＰ０の位置に保持しておいて、動画を選択した状態で録画ボタン１３をＯＮにすると，磁気テープ１０に動画信号が記録され、次に押しボタン１２をＰ１の位置に押してロックすると、静止画を選択した状態となり、磁気テープ１０には静止画を補間した動画が記録される。
そして押しボタンをさらにＰ２の位置まで押すと今度は静止画が半導体メモリ７に記憶され、かつ、磁気テープ１０には静止画を補間した動画が続けて記録される。
【００４８】
従って、押しボタン１２のいずれの位置によっても、動画か、静止画を補間した動画の磁気テープ１０へ記録が遮断されることなく続けられ、静止画は押しボタンをＰ２の位置へ押すことにより瞬時に半導体メモリ７に記憶される。
また、押しボタン１２を最初からＰ１の位置にロックしておいて、静止画を選択した状態で、録画ボタン１３をＯＮにした場合，磁気テープ１０は動作させず動画信号の記録と動き補間動作を停止して、静止画の記憶動作のみに限定しても良い。
【００４９】
以上述べてきたように、本発明の実施形態に係る撮像装置によれば、動画撮影中にシャッタチャンスを逃すことなく、最適な高解像度の静止画を得ることが出来、しかも動画を遮断することなく継続して記録することが出来る。
【図面の簡単な説明】
【００５０】
【図１】本発明の実施形態における撮像装置の構成を示す図である。
【図２】本発明の実施形態における撮像装置の動作を説明するための図であり、（Ａ）は動画（３０フレーム／秒）の連続したフレーム画像を示す図であり、（Ｂ）は静止画の間欠画像（１０フレーム／秒）を示す図であり、（Ｃ）は（Ｂ）に示す静止画から作成した補間動画を示す図である。
【図３】静止画のシャッタのタイミングを示す図である。
【図４】従来の撮像装置の構成を示す図である。
【符号の説明】
【００５１】
１・・・撮像装置、２・・・レンズ、３・・・撮像部３（画像生成部）、４・・・Ａ／Ｄ、５・・・静止画処理部、６・・・循環型記憶部、７・・・半導体メモリ、８・・・動画補間部８、９・・・動画処理部、１０・・・磁気テープ（記憶部）、１１・・・モード切り替え部、１２・・・押しボタン、１３・・・録画ボタン、１４・・・第１記録制御部、１５・・・第２記録制御部、１６・・・表示部、ＳＷ１・・・スイッチ（切り替え部）
【図１】
2007174284.tif 000003
【図２】
2007174284.tif 000004
【図３】
2007174284.tif 000005
【図４】
2007174284.tif 000006